(57)【特許請求の範囲】
【請求項１】
上面に化粧料収容凹部が形成された容器本体と、それ自身の後端部が上記容器本体の後端部に回動自在にヒンジ連結された蓋体とを備え、上記蓋体の前端側の下面に係合部を突出形成し、上記容器本体が、皿状台部と、この皿状台部に嵌合する枠状部とからなり、この枠状部が、上端部にフランジ部が形成された枠体を有し、上記フランジ部の外周縁が平面視で皿状台部の上端内周縁と略同一形状に形成されているとともに、上記フランジ部の前側部分の中央部が切り欠き形成され、この切欠部の後端部の左右両側から、枠体の前端縁に沿って左右に延びる切欠溝が所定距離形成され、これにより、上記切欠部および左右の切欠溝に対応する上記枠体の前壁の部分が、前後方向に撓みうる弾性片部に形成され、この弾性片部の前面の中央部分に、上記蓋体の係合部と着脱自在に係合しうる被係合部を形成するとともに、この被係合突条を囲むようにして平面視略コ字状の押圧用枠部を突出形成し、この押圧用枠部のコ字状の中央部の後面を後下がり状の傾斜面に形成し、上記押圧用枠部を後方に向かって押圧することにより、上記弾性片部を後方に撓ませて弾性片部の被係合部を後方に移動させて上記係合を解除し、さらに上記押圧を続けることで、上記押圧用枠部の傾斜面に沿って蓋体の係合部を上方に押し上げうるように構成したことを特徴とするコンパクト。
【発明の詳細な説明】
【０００１】
【産業上の利用分野】
この発明は、前部に設けた押圧部を押圧することにより開蓋することのできるコンパクトに関するものである。
【０００２】
【従来の技術】
一般に、コンパクトは、図１２に示すように、上面に化粧料収容凹部３１ａが設けられた容器本体３１の後端部に蓋体３２をヒンジ連結して構成されている。このコンパクトは、蓋体３２の前縁に垂設された係合爪３５を容器本体３１の前壁面の凹部３３の奥面に設けられた係合突起３４と係合させることで閉蓋状態を維持している。そして開蓋する場合、蓋体３２を上方に持ち上げて上記係合爪３５と係合突起３４との係合を解除し、さらに蓋体３２を持ち上げるようにする。これにより、開蓋状態にすることができる。ところが、上記コンパクトでは、一方の手で容器本体３１をもち、他方の手で蓋体３２をこじ開けるようにして持ち上げなければならず、この動作が煩雑である。
【０００３】
そこで、片手で開蓋操作することのできるものとして、実公昭６３−１２８０７号公報に示すコンパクト容器が提案されている。このものは、図１３に示すように、上面に凹部４１ａが形成された身４１と、それ自身の前端部の下面に係合用のフック４５が垂設されそれ自身の後端部が上記身４１の後端部にヒンジ連結された蓋４３と、化粧料が充填され上記身４１の凹部４１ａ内に収容された中皿４２とを備えており、この中皿４２の上端縁の前面から前方に向かってフック４５挿通用の穴５１が穿設されたフランジ部４２ａが水平に延びている。そして、このフランジ部４２ａの下側空間、すなわち、上記中皿４２を身４１の凹部４１ａ内に収容した状態で中皿４２の前側部分に形成される空間（ボックス）４６内に、上記蓋４３のフック４５に対応する部分（フランジ部４２ａの穴５１に対応する部分）に上記フック４５に係合しうる係止穴４８が穿設されたスライドフック４７および第１の弾性体４９が配設されている。すなわち、上記スライドフック４７は、その前端部４７ａがボックス４６の前壁（身４１の前壁）に穿設された貫通穴４６ａから突出した状態で、上記ボックス４６内に前後方向にスライド自在に配設されており、スライドフック４７と中皿４２の前壁との間にスライドフック４７を前方に向かって押し出し付勢する第１の弾性体４９が配設されている。図において、５０は閉蓋状態で上記蓋４３のフック４５の下端部を上方に向かって押し上げ付勢する第２の弾性体である。
【０００４】
上記コンパクトでは、閉蓋状態で蓋４３のフック４５が中皿４２のフランジ部４２ａの穴５１を挿通し、スライドフック４７の係止穴４８と係合しており、この係合状態は、スライドフック４７が第１の弾性体４９の弾性力により前方に押し出し付勢されていることで保持されている。一方、上記コンパクトを開蓋する場合には、まず、スライドフック４７の前端部４７ａを後方に向かって押圧し、スライドフック４７を第１の弾性体４９の弾性力に抗して後方にスライド移動させることが行われる。これにより、蓋４３のフック４５とスライドフック４７の係止穴４８との係合が解除され、そののち、第２の弾性体５０の弾性力により上記フック４５が押し上げられる。（図１４参照）。
【０００５】
【発明が解決しようとする課題】
しかしながら、上記コンパクトでは、閉蓋状態を維持するために、身４１，蓋４３とは別にスライドフック４７と第１の弾性体４９とが必要であり、部品点数が多くなるという問題や、構造が複雑化するという問題がある。しかも、上記スライドフック４７や第１弾性体４９を身４１に組付ける作業が必要であり、このため、コンパクトを組み立てる作業が煩雑になり、手間がかかるという問題もある。
【０００６】
この発明は、このような事情に鑑みなされたもので、構造が簡単で、部品点数が少なく、しかも、組付け作業に手間がかからないコンパクトの提供をその目的とする。
【０００７】
【課題を解決するための手段】
上記の目的を達成するため、この発明は、上面に化粧料収容凹部が形成された容器本体と、それ自身の後端部が上記容器本体の後端部に回動自在にヒンジ連結された蓋体とを備え、上記蓋体の前端側の下面に係合部を突出形成し、上記容器本体が、皿状台部と、この皿状台部に嵌合する枠状部とからなり、この枠状部が、上端部にフランジ部が形成された枠体を有し、上記フランジ部の外周縁が平面視で皿状台部の上端内周縁と略同一形状に形成されているとともに、上記フランジ部の前側部分の中央部が切り欠き形成され、この切欠部の後端部の左右両側から、枠体の前端縁に沿って左右に延びる切欠溝が所定距離形成され、これにより、上記切欠部および左右の切欠溝に対応する上記枠体の前壁の部分が、前後方向に撓みうる弾性片部に形成され、この弾性片部の前面の中央部分に、上記蓋体の係合部と着脱自在に係合しうる被係合部を形成するとともに、この被係合突条を囲むようにして平面視略コ字状の押圧用枠部を突出形成し、この押圧用枠部のコ字状の中央部の後面を後下がり状の傾斜面に形成し、上記押圧用枠部を後方に向かって押圧することにより、上記弾性片部を後方に撓ませて弾性片部の被係合部を後方に移動させて上記係合を解除し、さらに上記押圧を続けることで、上記押圧用枠部の傾斜面に沿って蓋体の係合部を上方に押し上げうるように構成した。
【０００８】
【作用】
すなわち、この発明のコンパクトは、上面に化粧料収容凹部が形成された容器本体と、それ自身の後端部が上記容器本体の後端部に回動自在にヒンジ連結された蓋体とを備えている。また、上記蓋体の前端側の下面に係合部を突出形成し、上記容器本体の前壁の中央部分に蓋体の係合部と着脱自在に係合しうる被係合部を形成し、この被係合部の左右両側からそれぞれ弾性片部を上記前壁の左右両側部に延設している。そして、上記被係合部を押圧することにより上記両弾性片部を後方に撓ませ上記被係合部を後方に移動させて上記係合を解除するようにしている。このように、この発明のコンパクトは、容器本体の前壁の中央部に形成された被係合部の左右両側から上記前壁の左右両側部に弾性片部を延設し、この弾性片部の弾性力を利用して閉蓋状態を維持するようにしている。したがって、従来例では必要であったスライドフック４７や第１の弾性体４９を必要とせず、部品点数が少なくてすむ。また、上記弾性片部および被係合部は、容器本体の前壁に一体的に形成されているため、構造が簡単化するうえ、組み立て作業も簡素化して手間がかからない。また、上記容器本体が皿状台部と、この皿状台部に嵌合する枠状部とからなり、上記被係合部および弾性片部を枠状部に形成されているため、枠状部に形成された被係合部以外の部分（すなわち、皿状台部の前壁）を押圧しても上記係合が外れることがない。
【０００９】
つぎに、この発明を実施例にもとづいて詳しく説明する。
【００１０】
【実施例】
図１は、この発明の一実施例を示すコンパクトである。この実施例では、上記コンパクトは、上面に化粧皿収容凹部１２ａが形成された容器本体９と、この容器本体９の後端部にヒンジ連結された蓋体１１とを備えており、上記容器本体９の前端部から開蓋用の押圧部２ａが突出している。図において、１３は化粧料１４が充填された化粧金皿であり、１５は化粧用の筆であり、１６は蓋体１１の下面に枠１１ａによって固定された鏡である。
【００１１】
より詳しく説明すると、容器本体９は、合成樹脂製の皿状台部１０と、この皿状台部１０の内部空間に取付けられた合成樹脂製の枠状部１２とからなる。上記皿状台部１０は、図２および図３に示すように、平面視で、前部がやや内側に湾曲した長円形状に形成されており、その前壁１０ａの中央部に、前後方向の全幅にわたって切り欠かれた切欠凹部７が形成されている。この切欠凹部７の左右両側面には、その底部に前後方向に延びる２条のガイド溝６が相対向するように形成されている。また、上記皿状台部１０には、その左右両側壁１０ｂに、一対の嵌合凹条１９が相対向するように形成されているとともに、後壁１０ｃの中央部には、凹部２１が形成されており、この凹部２１の左右両側面には、一対の軸穴２１ａが相対向するように形成されている。
【００１２】
上記枠状部１２は、図４〜６に示すように、上端部にフランジ部２０が形成された枠体２０ｂと、この枠体２０ｂの内部空間を前後に２分割する仕切り板２０ａと、この仕切り板２０ａの後側の空間（すなわち、上記内部空間の後側部分）の下面を閉塞する底板１２ｂとを備えており、上記仕切り板２０ｂの後側の空間が容器本体９の化粧皿収容凹部１２ａに形成されている。
【００１３】
上記フランジ部２０は、その外周縁が平面視で上記皿状台部１０の上端内周縁と略同一形状に形成されている。また、上記フランジ部２０には、その中央部の前側部分が切り欠かれており、この切欠部８の後端部の左右両側から枠体２０ｂの前端縁に沿って左右に延びる２条の切欠溝１ｂが所定距離形成されている。これにより、上記枠体２０ｂの前側部分（すなわち、上記切欠部８および左右の切欠溝１ｂに対応する部分）が前後方向に撓みうる弾性片部１に形成されている。この弾性片部１には、その前面の中央部に、被係合突条４が形成されているとともに、この被係合突条４を囲むようにして、平面視略コ字状の押圧用枠部２が突出形成されており、これら被係合突条４および押圧用枠部２で被係合部が形成されている。上記押圧用枠部２はコ字状の中央部の前面がゆるやかな凹曲状に形成された押圧面２ａに形成されているとともに、後面は後下がり状の傾斜面４ａに形成されている（図７参照）。また、上記押圧用枠部２のコ字状の左右両側部には、上記皿状台部１０のガイド溝６に摺動自在に遊嵌しうる一対のガイド突起５が突設されている。図において、１８はフランジ部２０の左右両端に係合された一対の突条であり、上記皿状台部１０の凹状１９と嵌合しうる形状に形成されている。
【００１４】
上記蓋体１１は、図８および図９に示すように、平面視で上記皿状台部１０と略同一形状に形成されており、その前端部の下面中央に上記枠状部１２の被係合突条４と係合しうる係合部３が垂設され、この係合部３の上記押圧用枠部２の傾斜面２ａに対応する前壁の部分に傾斜面３ａが形成されている。また、上記蓋体１１には、その後端の下面中央部に、上記皿状台部１０の後壁１０ｃの凹部２１に収容しうるヒンジ部１７が垂設しており、このヒンジ部１７の上記皿状台部１０の後端部の軸穴２１ａに対応する部分に軸孔１７ａが貫通状に形成されている。
【００１５】
上記構成において、コンパクトを組み立てる場合には、まず、皿状台部１０の後端部の凹部２１内に蓋体１１の後端部のヒンジ部１７を配設し、凹部２１の左右の軸穴２１ａとヒンジ部１７の軸穴１７ａにヒンジ軸（隠れて見えない）を挿入して皿状台部１０に蓋体１１をヒンジ連結する（図１参照）。ついで、上記皿状台部１０の内部空間に枠状部１２を嵌入し容器本体９を作製する。すなわち、上記皿状台部１０の上側に化粧金皿１３が収容された枠状部１２を配置し、この枠状部１２の前側部分を下側に傾けて押圧用枠部２を皿状台部１０の切欠部７の後側に位置決めし、そのまま枠状部１２を前方にスライド移動させて、上記押圧用枠部２を切欠部７に遊嵌させるとともに、この切欠部７の左右両側のガイド溝６に押圧用枠部２の左右両側のガイド突起５を遊嵌させ、その状態で、上記枠状部１２の後側部分を上から押圧して皿状台部１０の左右両側壁１０ｂの凹条１９と枠状部１２の左右両側の突条１８とを嵌合させる。このようにして作製された容器本体９は、その前壁部分の上側に切欠部７が形成されており、この切欠部７に押圧用枠部２が前後方向スライド自在に遊嵌している。また、押圧用枠部２の後端部の左右両側から弾性片部１が左右方向に延びている。
【００１６】
上記コンパクトにおいて、蓋体１１を閉じる場合には、蓋体１１を前方に回動させ、この蓋体１１の係合部３を枠状部１２の押圧用枠部２のコ字状の内部空間に没入させて上記係合部３と押圧用枠部２の被係合突条４とを係合させることが行われる。この状態では、上記弾性片部１の弾性力により係合状態が保持され、閉蓋状態が維持される（図１０参照）。
【００１７】
一方、この閉蓋状態から開蓋状態にするには、まず、コンパクトの前部から突出した押圧用枠部２の押圧面２ａを後方に向かって押圧する。この押圧により、上記弾性片部１がそれ自身の左右両端を基端として後方に撓み、これに伴い上記弾性片部１の中央の被係合突条４が後方に移動し、上記係合部３と被係合突条４との係合が解除される。さらに、上記押圧を続けると、上記押圧用枠部２の傾斜面４ａで係合部３の傾斜面３ａが上方に押圧され、上記押圧用枠部２の傾斜面４ａに沿って係合部３が上方に押し上げられ、これにより、蓋体１１が後方（開蓋方向）へ少し回動する（図１１参照）。そののち、手指で上記蓋体１１の前端部を後方に押圧し、大きく開蓋する。
【００１８】
このように、上記コンパクトでは、蓋体１１の係合部３と容器本体９を構成する枠状部１２の被係合突条４との係合を上記枠状部１２から延びる弾性片部１の弾性力を利用して保持するようにしているため、従来例のようにスライドフック４７や第１の弾性体４９等を必要とせず、部品点数が少なくてすむ。
【００１９】
また、上記弾性片部１および押圧用枠部２が枠状部１２に一体形成されているため、構造が簡単化し、組み立て作業も簡素化されるという利点もある。
【００２０】
【発明の効果】
以上のように、この発明のコンパクトによれば、容器本体の前壁の中央部に形成された被係合部の左右両側から上記前壁の左右両側部に弾性片部を延設し、この弾性片部の弾性力を利用して閉蓋状態を維持しているため、従来例では必要であったスライドフック４７や第１の弾性体４９を必要とせず、部品点数が少なくてすむ。また、上記弾性片部および被係合部は、容器本体の前壁に一体的に形成されているため、構造が簡単化するうえ、組み立て作業も簡素化して手間がかからない。また、上記容器本体が皿状台部と、この皿状台部に嵌合する枠状部とからなり、上記被係合部および弾性片部を枠状部に形成されているため、枠状部に形成された被係合部以外の部分（すなわち、皿状台部の前壁を押圧しても上記係合が外れることがない。
【図面の簡単な説明】
【図１】この発明の一実施例のコンパクトを示す斜視図である。
【図２】上記コンパクトに用いる皿状台部を示す平面図である。
【図３】上記皿状台部を示す正面図である。
【図４】上記コンパクトに用いる枠状部を示す平面図である。
【図５】上記枠状部を示す正面図である。
【図６】上記枠状部を示す断面図である。
【図７】上記コンパクトの押圧用枠部を示す一部破断斜視図である。
【図８】上記コンパクトに用いる蓋体を下から見た図である。
【図９】上記蓋体を示す側面図である。
【図１０】上記コンパクトの要部拡大断面図である。
【図１１】上記コンパクトの作用を示す説明図である。
【図１２】従来例を示すコンパクトの断面図である。
【図１３】他の従来例を示すコンパクトの断面図である。
【図１４】他の従来例を示すコンパクトの断面図である。
【符号の説明】
１  弾性片部
２  押圧用枠部
３  係合部
４  被係合用突条
９  容器本体
１１  蓋体
１２ａ  化粧皿収容凹部
【図１】
0003562846.tif 000002
【図２】
0003562846.tif 000003
【図３】
0003562846.tif 000004
【図４】
0003562846.tif 000005
【図５】
0003562846.tif 000006
【図６】
0003562846.tif 000007
【図７】
0003562846.tif 000008
【図８】
0003562846.tif 000009
【図９】
0003562846.tif 000010
【図１０】
0003562846.tif 000011
【図１１】
0003562846.tif 000012
【図１２】
0003562846.tif 000013
【図１３】
0003562846.tif 000014
【図１４】
0003562846.tif 000015